(57)【要約】【課題】本発明は、中央処理装置と端末器間あるいは、外線電話と端末器間で通信が可能な監視システムにおいて、中央処理装置あるいは端末器で容易に通信テストが可能な監視システムを提供する。【解決手段】中央処理装置４０の操作手段４７で操作し、データ通信手段４３から通信テスト開始信号を端末器に送信し、端末器は通信テスト開始信号に対する応答信号をすることで、中央処理装置４０と端末器のデータ通信手段の通信テストを行うことができる。また、中央処理装置４０と端末器の音声通信手段の通信テストを行うことも可能となる。【選択図】図２
2005182252.tif 000002
【特許請求の範囲】
【請求項１】
定常または非定常の状態を監視する端末器と、１台の中央処理装置とを有し、前記端末器と前記中央処理装置にはそれぞれ前記定常状態または前記非定常状態に関するデータおよび通信テストに関するデータの送信または受信を行うデータ通信手段と、音声を入力する音声入力手段と、音声を出力する音声出力手段と、音声信号の送信または受信を行う音声通信手段と、通信テストを開始させる操作手段とを有し、前記中央処理装置または前記端末器の前記データ通信手段および前記音声通信手段から通信テスト開始信号を送信し、前記中央処理装置または前記端末器は、前記データ通信手段および前記音声手段からの前記通信テスト信号に対する応答信号を送信することで、前記端末器と前記中央処理装置間での通信テストを前記中央処理装置あるいは前記端末器で開始する監視システム。
【請求項２】
中央処理装置は、前記中央処理装置に登録した端末器のうち通信テストを行いたい前記端末器を選択する設定手段を有し、通信テストを行いたい前記端末器を選択する請求項１記載の監視システム。
【請求項３】
中央処理装置は、端末器の登録動作に前記中央処理装置と前記端末器との音声通信手段の通信テストが含まれる請求項１または２記載の監視システム。
【請求項４】
中央処理装置または端末器は、音声通信手段の通信テストを開始し、前記中央処理装置と前記端末器間で音声通信手段の通信が確立した場合、音声出力手段の音声レベルによって、音声入力手段にテスト用の音声が入力される請求項１〜３のいずれか１項記載の監視システム。
【請求項５】
中央処理装置は、音声通信手段の通信テストを開始させた際に通信回線を介して電話により予め設定された通信装置に外線接続し、前記通信装置と特定の端末器との間で通信テストを行う請求項１〜４のいずれか１項記載の監視システム。
【請求項６】
中央処理装置または端末器は、通信テストを開始させてから所定時間が経過すると、通信を切断する請求項１〜５のいずれか１項記載の監視システム。
【請求項７】
請求項１〜６のいずれか記載の監視システムにて少なくとも一つの手段をコンピュータに実行させるためのプログラム。
【発明の詳細な説明】
【技術分野】
【０００１】
本発明は、防犯用の監視システムおよびそのプログラムに関するものである。
【背景技術】
【０００２】
従来この種の監視システムは、利用者が警備を開始させるとき、各端末器に異常がないかを確認するために端末器をテスト作動させている（例えば、特許文献１参照）。
【０００３】
図８は、特許文献１に記載された従来の監視システムを示すものである。図８に示すように、警備端末システム１０は、マグネットセンサ２０と、端末装置３０から構成されており、利用者が警備を開始させるとき、警備端末システム１０は点検操作でマグネットセンサ２０に異常がないことを確認して警備状態を開始させる。
【特許文献１】特開平１１−８６１５１号公報
【発明の開示】
【発明が解決しようとする課題】
【０００４】
しかしながら、前記従来の構成では、警備状態を開始させる際に、マグネットセンサ部分等の侵入検知手段の異常を検知することは可能であるが、中央処理装置と端末器間の通信に関してのテストは行うことができなかった。そのため、マグネットスイッチ等の侵入検知手段が動作して侵入を検知しても、中央処理装置と端末器間での通信異常が発生していた場合に、中央処理装置は侵入を検知したという情報を受信することができない状態が発生する。また、端末器から中央処理装置への片方向の通信しか行えず、端末器で警備状態を開始させることで、マグネットスイッチ等の侵入検知手段の異常を点検しているために、端末器が設置されているところまで行かないと点検を開始させることができなかった。
【０００５】
本発明は、前記従来の課題を解決するもので、中央処理装置と端末器間で双方向の通信を行い、中央処理装置からも通信テストを開始できるようにし、通話機能を有している本システムにおいて、一人ででも通信テストが可能な監視システムを提供することを目的とする。
【課題を解決するための手段】
【０００６】
前記従来の課題を解決するために、本発明の監視システムおよびそのプログラムは、中央処理装置と端末器にそれぞれ定常状態または非定常状態に関するデータおよび通信テストに関するデータの送信または受信を行うデータ通信手段と、音声を入力する音声入力手段と、音声を出力する音声出力手段と、音声信号の送信または受信を行う音声通信手段と、通信テストを開始させる操作手段とを有し、中央処理装置と端末器間の双方向の通信を行い、中央処理装置のデータ通信手段から、通信テスト開始信号を送信し、端末器は通信テスト開始信号に対する応答信号を送信することで中央処理装置と端末器のデータ通信手段の通信テストを行う。
【０００７】
また、中央処理装置と端末器の音声通信手段を使用しての通話機能を有しており、中央処理装置は端末器からの通信テスト開始信号に対する応答信号を受信後、中央処理装置の音声通信手段から通信テスト開始信号を送信し、端末器は通信テスト開始信号に対する応答信号を送信して、中央処理装置と端末器間で通信が確立した時点で中央処理装置と端末器間で通話を開始し、端末器の音声入力手段にテスト用の音声が入力されることで一人でも通話テストが可能となる。
【発明の効果】
【０００８】
本発明の監視システムおよびそのプログラムは、通話機能を備えた監視システムにおいて、通信テストが中央処理装置から実行可能であり、また、通話機能をテストする場合も１人で行うことができるため、使用者の使い勝手が向上する。
【発明を実施するための最良の形態】
【０００９】
第１の発明は、中央処理装置と端末器にそれぞれ定常状態または非定常状態に関するデータと通信テストに関するデータの送信または受信を行うデータ通信手段と、音声を入力する音声入力手段と、音声を出力する音声出力手段と、音声信号の送信または受信を行う音声通信手段と、通信テストを開始させる操作手段とを有し、双方向の通信を行い、中央処理装置から端末器に通信テスト開始信号を送信し、端末器は通信テスト開始信号に対する応答信号を送信することで、中央処理装置から通信テストを開始させることが可能となる。
【００１０】
第２の発明は、特に、第１の発明の通信テストを行う端末器の選択方法として、通信テストを行いたい端末器のいずれかを設定手段で選択することで、特定の端末器と通信テストを開始させることができ、使用者がテストを行いたい端末器を自由に選択することができるため、使い勝手が向上する。
【００１１】
第３の発明は、特に、第１または第２の発明の通信テストの開始方法として、中央処理装置と端末器のデータ通信手段を使用して登録動作を行い、登録動作が終了した時に、音声通信手段の通信テストを行うことにより、使用者が操作することなく、音声通信手段の通信テストを行うことができ、使い勝手が向上する。
【００１２】
第４の発明は、特に、第１〜３のいずれか１つの発明の音声通信手段の通信テストのテスト方法として、中央処理装置あるいは端末器から通信テストを開始し、中央処理装置と前記端末器間で音声通信手段の通信が確立した場合、使用者が中央処理装置の音声入力手段から音声を入力し、端末器の音声出力手段から出力された音声レベルが所定の値以上であれば、端末器の音声入力手段にテスト用の音声が入力され、使用者は中央処理装置の音声出力手段から音声を聞くことが出来るため、１人ででも音声通信手段の通信テストを行うことが可能となり、使い勝手が向上する。
【００１３】
第５の発明は、特に、第１〜４のいずれか１つの発明の通話テストを行う相手について、中央処理装置で通信テストを開始させると通信回線を介して予め設定された通信装置に外線接続し、通信装置と特定の端末器との間で通信テストを行うことができるため、簡単な操作で外線接続し、通信テストを行うことができるため、使用者の使い勝手が向上する。
【００１４】
第６の発明は、特に、第１〜５のいずれか１つの発明の通信テストの停止方法として、中央処理装置で通信テストを開始させてから、所定時間が経過することで自動的に通信を切断することにより、切り忘れがなくなり、使用者の使い勝手が向上する。
【００１５】
第７の発明は、特に、第１〜６のいずれか１つの発明の監視システムをコンピュータに実行させるためのプログラムである。プログラムであるので、電気・情報機器、コンピュータ、サーバー等のハードリソースを協働させて本発明の監視システムの少なくとも一部を容易に実現することができる。また記録媒体に記録したり通信回線を用いてプログラムを配信したりすることでプログラムの配布・更新やそのインストール作業が簡単にできる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における監視システムのシステムブロック図を示すものである。
【００１８】
４０は中央処理装置、４１と４２は端末器である。中央処理装置４０と端末器４１、４２の間は、無線による通信手段によって通信が行われる。端末器４１、４２には侵入検知手段が設けられている。
【００１９】
図２は中央処理装置４０の内部ブロック図である。４３はデータ通信手段である。４４は音声を変復調して通信を行う音声通信手段である。４５は音声通信手段４４から出力される音声を拡声する音声出力手段である。４６は中央処理装置４０から端末器４１または４２に対して音声を送信するための音声入力手段である。４７は通話テストを開始させる操作手段である。４８は通信テストを行いたい端末器を選択する設定手段である。４９はテスト結果を外部に報知する表示部である。５０は通話テスト用の音声を記憶しておく音声記憶部である。５１はデータ通信手段４３、音声通信手段４４、表示部４９、音声記憶部５０を制御する制御部である。
【００２０】
図３は端末器４１または４２のブロック図である。５２は侵入検知手段で、本実施の形態１ではリードスイッチを設けている。この端末器を窓やドアの枠に取り付け、可動部である窓ガラスやドア開閉部にこのリードスイッチと対応して開閉させるための磁石を取り付けることにより、窓やドアの開閉を検知することができる。５３は中央処理装置４０に定常または非定常状態に関する情報、通信テストに関する情報、登録に関する情報を送受信するデータ通信手段である。５４は通信テストを開始させる操作手段である。５５はテスト結果を外部に報知する表示部である。５６は中央処理装置４０との間で音声信号を通信する音声通信手段である。５７は音声通信手段５６によって受信・復調された音声信号を拡声する音声出力手段である。５８は音声入力手段で、これによって端末器４１または４２周辺の音声は集音され、音声通信手段５６で変調されて中央処理装置４０に送信される。５９は音声記憶部で通話テスト用の音声を記憶しておく。６０は端末制御部で、侵入検知手段５２からの非定常信号、すなわち侵入が発生したという情報を、中央処理装置４０に対して自らの端末器コードと共に、データ通信手段５３を用いて無線によって送信するものである。また、音声通信手段５６と音声記憶部５９を制御する。
【００２１】
図４は本実施の形態１の中央処理装置から通信テストを開始した場合の動作を示すフローチャートである。
【００２２】
図５は本実施の形態１の端末器から通信テストを開始した場合の動作を示すフローチャートである。
【００２３】
以上のように構成された監視システムについて、以下その動作、作用を説明する。
【００２４】
まず、図４に基づいて、中央処理装置から通信テストを開始した場合について説明する。ＳＴＥＰ１で中央処理装置４０の設定手段４８で通信テストを行いたい端末器を選択し、操作手段４７で通信テストを開始させる。例えば、端末器４１と通信テストを行うように設定した場合、中央処理装置４０は、データ通信手段４３より通信テスト開始信号を端末器４１に送信する。
【００２５】
ＳＴＥＰ２で、端末器４１が電池切れによって動作が停止していたり、通信が正常に行えなかったりして、中央処理装置４０が通信テスト信号に対する応答信号が受信できなかった場合は、端末器４１に異常があったことを表示部４９により表示したり、音声出力手段４５から  端末器４１に異常が発生したことを音声で報知する。通信が正常に行われている場合は、端末器４１は通信テスト開始信号をデータ通信手段５２で受信すると応答信号をデータ通信手段５２より送信する。この信号は、自らの端末器のアドレスコードと端末器４１の侵入検知手段５１を動作させて侵入検知手段５１の異常の有無の状態コードを送信する。この時、端末器４１の侵入検知手段５１に異常があった場合には、端末器４１に異常があったことを表示部４９により表示したり、音声出力手段４５から端末器４１に異常が発生したことを音声で報知したりする。
【００２６】
中央処理装置４０は、端末器４１からの応答信号を受信すると、ＳＴＥＰ３で中央処理装置４０の音声通信手段４４から通信テスト開始信号を端末器４１に送信する。中央処理装置４０は通信テスト開始信号に対する応答信号が端末器４１から受信できなかった場合は、端末器４１に異常があったことを表示部４９により表示したり、音声出力手段４５から端末器４１に異常が発生したことを音声で報知したりする。中央処理装置４０が端末器４１からの応答信号を受信できた場合は、中央処理装置４０と端末器４１間の音声通信手段の通信が確立し通話が可能となる（ＳＴＥＰ５）。
【００２７】
ＳＴＥＰ６で中央処理装置４０の音声入力手段４６から、音声を入力する。ＳＴＥＰ７で中央処理装置４０の音声入力手段４６と端末器４１の音声出力手段５７が正常に動作していれば、端末器４１の音声出力手段５７から音声レベルが所定値以上で出力されるため、ＳＴＥＰ８で端末器４１は、音声記憶部５９で記憶しているテスト用の音声を音声入力手段５８に入力する。
【００２８】
ＳＴＥＰ９で端末器４１の音声入力手段５８と中央処理装置４０の音声出力手段４５が正常に動作していれば、中央処理装置４０の音声出力手段４５から音声レベルが所定値以上で出力されるため、中央処理装置４０と端末器４１の通信手段、音声通信手段、音声入力手段、音声出力手段と端末器４１の侵入検知手段５１の異常の有無を一人ででも確認することができる。
【００２９】
次に、図５に基づいて端末器から通信テストを開始した場合について説明する。端末器から通信テストを開始した場合は、図４の送信側と受信側を逆にして通信を行うことになる。
【００３０】
ＳＴＥＰ１１で端末器４１の操作手段５４で通信テスト開始の操作を行い、端末器４１は通信テスト開始信号をデータ通信手段５２で送信する。この信号は、自らの端末器のアドレスコードと端末器４１の侵入検知手段５１を動作させて侵入検知手段５１の異常の有無の状態コードを送信する。この時、端末器４１の侵入検知手段５１に異常があった場合には、端末器４１に異常があったことを表示部５５により表示したり、音声出力手段５７から  端末器４１に異常が発生したことを音声で報知したりする。中央処理装置４０は、通信テスト開始信号をデータ通信手段４３で受信した場合は応答信号を端末器４１に送信する。
【００３１】
ＳＴＥＰ１２で端末器４１は応答信号を通信異常等で受信できなかった場合は、通信に異常があったことを表示部５５により表示したり、音声出力手段５７から通信に異常が発生したことを音声で報知したりする。端末器４１で応答信号を受信した場合は、ＳＴＥＰ１３で端末器４１の音声通信手段５６から通信テスト開始信号を中央処理装置４０に送信する。中央処理装置４０の音声通信手段４４で通信テスト開始信号を受信した場合は応答信号を端末器４１に送信する。端末器４１が中央処理装置４０からの応答信号を受信できた場合は、中央処理装置４０と端末器４１間の音声通信手段で通信が確立し通話が可能となる（ＳＴＥＰ１５）。
【００３２】
ＳＴＥＰ１６で端末器４１の音声入力手段５８から、音声を入力する。ＳＴＥＰ１７で端末器４１の音声入力手段５８と中央処理装置４０の音声出力手段４５が正常に動作していれば、中央処理装置４０の音声出力手段４５から音声レベルが所定値以上で出力されるため、ＳＴＥＰ１８で中央処理装置４０は、音声記憶部５０で記憶しているテスト用の音声を音声入力手段４６に入力する。
【００３３】
ＳＴＥＰ１９で中央処理装置４０の音声入力手段４６と端末器４１の音声出力手段５７が正常に動作していれば、端末器４１の音声出力手段５７から音声レベルが所定値以上で出力されるため、中央処理装置４０と端末器４１の通信手段、音声通信手段、音声入力手段、音声出力手段と端末器４１の侵入検知手段５１の異常の有無を一人ででも確認することができる。
【００３４】
また、通信テストを開始してから所定時間経過後は、中央処理装置４０または、端末器４１で通信テストを終了させる。
【００３５】
また、中央処理装置４０で端末器４２を新規登録した場合に、中央処理装置４０で端末器４２の登録後使用者が操作することなく、通信テストを開始することも可能である。ここでいう登録とは、中央処理装置４０と端末器４２のペアリングを行うことを意味し、例えば端末器４２であらかじめ所持しているアドレスコードを中央処理装置４０に送信し、中央処理装置４０は、端末器４２のアドレスコードを記憶し、端末器４２に中央処理装置４０のアドレスコードを送信する。端末器４２は中央処理装置４０のアドレスコードを記憶する。以上の動作を行うことにより、中央処理装置と端末器間で通信を行う際に自分のアドレスコードと一緒に侵入検知情報などのデータと送信することにより、自分宛てのデータがどうかを判断することが可能となる。
【００３６】
また、本実施例では、一例をフローチャートで示したがこれに限るものでなく、中央処理装置が通信テスト開始信号に対する端末器からの応答信号を所定時間内に受信できない場合は、フローチャートでは通信ＮＧとしているが、数回再送信してもよい。この時には、所定回数送信後も応答信号が受信できない場合は、通信ＮＧの報知を行えばよい。
【００３７】
以上のように本実施の形態においては、通話機能を有する監視システムにおいて、定常または非定常に関するデータ等の通信を行うデータ通信手段の通信テストと、音声データの通信を行う音声通信手段の通信テストを中央処理装置または、端末器から実行することができる。また、中央処理装置から特定の端末器間の通話テストが容易に行うこともできる。また、１人でも通信テストを行うことができるため、使用者の使い勝手が向上する。更に、端末器を新規登録動作に音声通信手段の通信テストが含まれることにより、使用者が登録以外の操作をすることなく音声通信手段の通信テストと侵入検知手段の動作テストが行えるため、使用者の利便性も向上する。
【００３８】
尚、実施の形態１では、端末器４１、端末器４２の侵入検知手段５１にリードスイッチを設けているため、窓やドアが開閉された時に侵入者が発生したという非定常信号を送信しているが、侵入検知部５１が焦電センサで人体を検知した場合に非定常信号すなわち侵入者が発生したという非定常信号を送信しても同様の効果を有するものである。また、使用者が押しボタンスイッチで非定常信号を送信するような構成にしてもよい。また、握ることによって接点が閉じるような形式など、他の力学的接点機構を用いるものでも良く、あるいは、血圧計や脈拍計など、生理的指標を計測するセンサと自動的に連動して状態急変を非定常状態発生として送信するものでも同様の効果を得られる。
【００３９】
また、実施の形態１では通信媒体として無線を用いているが、専用線による有線通信、電灯線搬送通信、赤外線通信、光ファイバ通信など、いずれも通信媒体を用いても同様の効果を有するものである。
【００４０】
また、本発明は、実施の形態１の監視システムの少なくとも一つの手段をコンピュータに実行させるためのプログラムを提供するものであり、プログラムであるのでマイコンなどを用いて本発明の監視システムの一部あるいは全てを容易に実現することができる。また記録媒体に記録したり通信回線を用いてプログラムを配信したりすることでプログラムの配布が簡単にできる。
【００４１】
（実施の形態２）
図６は、本発明の第２の実施の形態の監視システムのシステムブロック図である。
【００４２】
中央処理装置４０は公衆回線６１を介して予め登録された通信装置６２または６３に通報することができる。通信装置６２または６３としては、それぞれ、例えば、中央処理装置４０の所有者の携帯電話機、前記所有者の出先（例えば、会社等）の固定電話機、警備会社の固定電話機である。
【００４３】
図７は中央処理装置の内部ブロック図であり、実施の形態１との相違点は、外線接続部６４を設け、予め登録された通信装置６２または６３に外線接続することが可能となることである。
【００４４】
以上のように構成された監視システムについて、以下その動作、作用を説明する。
【００４５】
まず、中央処理装置４０の設定手段４８で通信テストを行いたい端末器を選択する。今回は、端末器４１を選択したとする。さらに設定手段４８で外線接続を行う設定にすることで、操作手段４７から通信テストを開始させた場合に中央処理装置４０は、外線接続部６４で外線接続し、通信装置６２または６３に通報する。通信装置６２または６３で通知を受けた使用者は、電話機から所定のトーン信号を送信する。中央処理装置４０は、制御部５１によって音声通信手段４４から通信テスト開始信号を送信し、端末器４１は音声通信手段５６で通信テスト開始信号を受信した場合、応答信号を送信し、中央処理装置４０は通信装置６２または６３と端末器４１間で通信を行うように制御を開始する。そして、端末器４１と通信装置６２または６３との通信テストを行う。
【００４６】
以上のように本実施の形態においては、使用者が容易に外線接続させることができ、通信装置と端末器間で通信テストを行うことができるため、使用者の使い勝手が向上する。また、実際に通信装置に外部接続することも確認できるため、使用者の安心感が向上する。
【００４７】
尚、本実施例は電話機や公衆回線で説明したがこれに限るものでなく、パソコンや携帯情報端末などの通信装置であってもよいし、専用回線やインターネット回線であってもよい。
【００４８】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００４９】
以上のように、本発明にかかる監視システムおよびそのプログラムは、中央処理装置と端末器間あるいは、通信装置と端末器間の通信テストを容易に行うことが可能となるため、ドアホン等にも適用できる。
【図面の簡単な説明】
【００５０】
【図１】本発明の実施の形態１におけるシステムブロック図
【図２】本発明の実施の形態１における中央処理装置の内部ブロック図
【図３】本発明の実施の形態１における端末器の内部ブロック図
【図４】本発明の実施の形態１の中央処理装置から操作した場合の動作手順を示すフローチャート
【図５】本発明の実施の形態１の端末器から操作した場合の動作手順を示すフローチャート
【図６】本発明の実施の形態２におけるシステムブロック図
【図７】本発明の実施の形態２における中央処理装置の内部ブロック図
【図８】従来の監視システムのブロック図
【符号の説明】
【００５１】
４０  中央処理装置
４１、４２  端末器
４３、５３  データ通信手段
４４、５６  音声通信手段
４５、５７  音声出力手段
４６、５８  音声入力手段
４７、５４  操作手段
４８  設定手段
４９、５５  表示部
５０、５９  音声記憶部
５１  制御部
５２  侵入検知手段
６０  端末制御部
６１  公衆回線
６２  固定電話機（通信装置）
６３  携帯電話機（通信装置）
６４  外線接続部
【図１】
2005182252.tif 000003
【図２】
2005182252.tif 000004
【図３】
2005182252.tif 000005
【図４】
2005182252.tif 000006
【図５】
2005182252.tif 000007
【図６】
2005182252.tif 000008
【図７】
2005182252.tif 000009
【図８】
2005182252.tif 000010